(57)【要約】【課題】  録画再生装置において、特有の方式によらない記録管理を行う装置（例えばパーソナルコンピュータ）で録画データを消去した場合に、再生履歴が正しく消去されず残存する問題があった。【解決手段】  複数の画像データを受付け、複数の画像データを一つの連続した準動画として管理し、前記複数の画像データの再生履歴を示すデータを生成して、前記複数の画像データと前記再生履歴を示すデータを情報記録媒体に記録し、前記複数の画像データを再生することで、前記再生履歴を示すデータを消去する録画再生装置を提供する。【選択図】        図１
2006313602.tif 000002
【特許請求の範囲】
【請求項１】
画像データを録画、再生、および管理する録画再生装置において、
複数の画像データを受付ける受付手段と、
前記複数の画像データの再生履歴を生成する履歴手段と、
前記複数の画像データと前記再生履歴をリムーバブルな情報記録媒体に記録する記録手段と、
を含む録画再生装置。
【請求項２】
前記録画再生装置は、前記複数の画像データを一つの連続した準動画として管理する管理手段を含み、前記管理手段は前記複数の画像データを階層別に記録するための階層手段をさらに含む、請求項１記載の録画再生装置。
【請求項３】
前記録画再生装置は、前記再生履歴を前記複数の画像データと同じ階層に記録する記録手段を含む、請求項１又は請求項２記載の録画再生装置。
【請求項４】
前記録画再生装置は、前記複数の画像データを再生することで、前記再生履歴を消去または書き換える修正手段を含む、請求項１乃至請求項３記載の録画再生装置。
【請求項５】
前記録画再生装置は、前記再生履歴を読み出す読出手段を含み、前記再生履歴に該当する画像データの再生履歴の有無を示す再生情報を取得する情報手段を含む、請求項１乃至請求項４記載の録画再生装置。
【請求項６】
前記録画再生装置は、前記再生情報を出力する出力手段を含む、請求項５記載の録画再生装置。
【発明の詳細な説明】
【技術分野】
【０００１】
本発明は、画像データを録画、再生、および管理する録画再生装置に関し、特に、再生履歴を管理できる録画再生装置に関するものである。
【背景技術】
【０００２】
従来から、図５や図６に示すような概要構成の、録画領域と再生履歴記録領域が別に設けられている録画再生装置が知られている。
例えば、下記の特許文献１には、ビデオデータのブロック毎の再生履歴記録領域を有する情報記録媒体で、特定ブロックのビデオデータが再生されたとき、前記領域に再生履歴を記録し、再生履歴を出力できる装置が開示されている。
また、特許文献２には、記録データの再生履歴を記憶、管理し、一覧表示できる装置が開示されている。
また、特許文献３には、録画時の時刻を録画時刻および再生時刻として記録し、かつ、再生時に再生時刻を更新し、録画時刻と再生時刻との比較により未再生ファイルを検出できる装置が開示されている。
【特許文献１】特開２０００−７６８０１号公報
【特許文献２】特開２００１−３５１３９号公報
【特許文献３】特開２００１−１６７５６５号公報
【発明の開示】
【発明が解決しようとする課題】
【０００３】
従来の録画再生装置において、特有の方式により録画データと再生履歴を別領域に記録・管理している場合、特有の方式によらない記録管理を行う装置（例えばパーソナルコンピュータ）で録画データを消去した場合に、再生履歴が正しく消去されず残存する問題がある。
【０００４】
本発明は、上述の問題点を解決するためになされたものであって、その目的は、別の装置で録画データを消去した場合でも、再生履歴が残存することのない録画再生装置を提供することである。
【課題を解決するための手段】
【０００５】
本発明は上述の課題を解決するために、複数の画像データを受付けるための受付手段と、前記複数の画像データの再生履歴を示すデータを生成する履歴手段と、前記複数の画像データと前記再生履歴を示すデータをリムーバブルな情報記録媒体に記録するための記録手段とを含む、録画再生装置を提供する。
また、本発明は上述の課題を解決するために、前記複数の画像データを一つの連続した準動画として管理する手段をさらに含み、前記管理手段は前記複数の画像データを階層別に記録するための手段を含む、録画再生装置を提供する。
また、本発明は上述の課題を解決するために、前記再生履歴を示すデータを前期複数の画像データと同じ階層に記録する手段を含む、録画再生装置を提供する。
また、本発明は上述の課題を解決するために、前記複数の画像データを再生することで、前記再生履歴を示すデータを消去または書き換える修正手段を含む、録画再生装置を提供する。
また、本発明は上述の課題を解決するために、前記再生履歴を示すデータを読み出す手段を含み、前記再生履歴を示すデータの状態により、前記複数の画像データが再生済みであるかの情報を取得する手段を含む、録画再生装置を提供する。
また、本発明は上述の課題を解決するために、前記再生履歴を示すデータの情報を出力する手段を含む、録画再生装置を提供する。
【発明の効果】
【０００６】
以上の構成により、本発明によれば、本発明の録画再生装置以外の装置で録画データを消去した場合でも、再生履歴が残ることは無く、情報記録媒体の記録領域の有効活用が実現できる。
また、録画データと同じ記録領域に再生履歴を置く事により、再生履歴の管理が行いやすくなる。また、別途再生履歴の記録領域を必要としない。
また、再生後には再生履歴を消去するため、データとして残るのは録画データのみとなり、情報記録媒体の記録領域の節約ができる。
【発明を実施するための最良の形態】
【０００７】
以下、本発明の録画再生装置における実施の形態について、図面に基づいて詳細に説明する。以下の説明では、同一の部品には同一の符号を付してある。それらの名称および機能も同一である。したがって、それらについての詳細な説明は繰返さない。
【０００８】
図１は本発明の録画再生装置における実施の形態の、概要構成を示すブロック図である。
図１において、本実施の形態に係る録画再生装置は、制御部１０１と、エンコード部１０２と、デコード部１０３と、データ処理部１０４と、ディスクドライブ部１０５と、リムーバブルな情報記録媒体１０６と、ＡＶ入力部１０７と、画像データ出力部１０８と、再生履歴内容出力部１０９とを含む。さらに、エンコード部１０２は、Ａ／Ｄ変換部１１０と、ビデオエンコード部１１１と、再生履歴作成部１１２とを含み、デコード部１０３は、ビデオでコード部１１３と、再生履歴読み込み部１１４とを含み、リムーバブルな情報記録媒体１０６は、再生履歴ファイル１２０を含む。制御部１０１は、システム全体の制御を行う装置である。エンコード部１０２は、ＡＶ入力部１０７から受信した、例えば、ＴＶドアホンやＴＶ電話などの、数秒から数分程度の映像信号を、Ａ／Ｄ変換部１１０でデジタル映像に変換し、さらにビデオエンコード部１１３で、１枚の圧縮された静止画像データとして切り出し、この処理を連続して行うことで、連続した静止画像から成る準動画データを生成する。また、エンコード部１０２は、再生履歴作成部１１２で録画と同時にその録画データに対しての再生履歴を作成する。データ処理部１０４は、エンコード部１０２で生成したデータの記録領域、ファイル名などを決定する。また、データ処理部１０４は、ディスクドライブ部１０５から取得したデータを画像データと再生履歴に分類し、それぞれの情報をデコード部１０３へ渡す。ディスクドライブ部１０５は、データ処理部１０４で作成したファイルを、リムーバブルな情報記録媒体１０６に記録する装置である。デコード部１０３は、データ処理部１０４から取得した画像データを伸張し、ディスプレイで表示可能なデータとして、画像データ出力部１０８へ出力する。また、デコード部１０３は、データ処理部１０４から取得した再生履歴を、再生履歴読み込み部１１４で読み込み、再生履歴ファイル１２０の有無（未読か既読かの状態）を、再生履歴内容出力部１０９へ出力する。
【０００９】
次に、上記構成の録画再生装置における、リムーバブルな情報記録媒体１０６に記録するデータ構造について、図２に示すイメージ図を参照して説明する。
図２において、録画再生装置によって生成される録画データは、親ディレクトリ２０１と、録画データディレクトリ２０２と、録画データ２０３とを含む。親ディレクトリ２０１は、本発明の録画再生装置によって生成される独自のディレクトリであり、親ディレクトリ２０１に含むデータは、本発明の録画再生装置に関係のあるデータとして扱う。録画データディレクトリ２０２は、親ディレクトリ２０１の下位に位置し、１回の録画単位毎にディレクトリを生成し、録画データを管理する。録画データ２０３は、録画データディレクトリの下位に位置し、連続した複数の画像データファイルと、再生履歴ファイルから成る。
【００１０】
次に、上記構成の録画再生装置における、録画時のシーケンスについて、図３に示すフローチャートを参照して説明する。
図３において、ステップ３０１にて録画開始し、ステップ３０２にて画像データ保存用ディレクトリを作成し、ステップ３０３にて画像データの記録を行う。ステップ３０４にて録画継続を判断し、継続であれば、ステップ３０３の画像データの記録に戻る。ステップ３０４にて録画継続が終了したら、ステップ３０５にて再生履歴ファイルを作成し、ステップ３０６にて録画を終了する。
【００１１】
次に、上記構成の録画再生装置における、再生時のシーケンスについて、図４に示すフローチャートを参照して説明する。
図４において、ステップ４０１にて再生開始し、ステップ４０２にて再生履歴ファイルの読み込みを行う。ステップ４０３にて再生履歴ファイルの有無を確認し、再生履歴ファイルが存在すれば、ステップ４０４にて未再生である旨を出力し、ステップ４０５にて録画データの先頭データを出力する。
ステップ４０３にて再生履歴ファイルが存在しないことを確認したら、ステップ４０５にてデータの先頭データを出力する。ステップ４０６にてデータの連続再生開始を判断し、さらに開始でなければステップ４０８にて再生処理の終了を判断し、終了でなければステップ４０６に戻る。
ステップ４０８にて再生処理終了と判断したら、ステップ４１２にて再生を終了する。ステップ４０６にて録画データの連続再生開始と判断したら、ステップ４０７にて再生履歴ファイルを削除し、あるいは、再生履歴ファイルの内容を書き換え、次に、ステップ４０９にてまだ再生していないデータが存在するか判断し、データが存在すればステップ４１０にて次の録画データを出力する。
ステップ４０９にてデータが存在しないと判断したら、ステップ４１２にて再生を終了する。ステップ４１０にて次の録画データを出力した後、ステップ４１１にて連続再生継続を判断し、連続再生継続と判断したら、ステップ４０９に戻る。ステップ４１１にて連続再生終了と判断したら、ステップ４１２にて再生を終了する。
【図面の簡単な説明】
【００１２】
【図１】本発明の録画再生装置における、実施の形態を示すブロック図である。
【図２】本発明の録画再生装置における、記録媒体への記録領域のイメージ図である。
【図３】本発明の録画再生装置における、録画動作の説明に供するイメージ図である。
【図４】本発明の録画再生装置における、再生動作の説明に供するイメージ図である。
【図５】従来の録画再生装置の実施の形態を示すブロック図である。
【図６】従来の録画再生装置の記録媒体への記録領域のイメージ図である。
【符号の説明】
【００１３】
１０１  制御部
１０２  エンコード部
１０３  デコード部
１０４  データ処理部
１０５  ディスクドライブ部
１０６  記録媒体
１０７  ＡＶ入力部
１０８  画像データ出力部
１０９  再生履歴内容出力部
１１０  Ａ／Ｄ変換部
１１１  ビデオエンコード部
１１２  再生履歴作成部
１１３  ビデオでコード部
１１４  再生履歴読み込み部
１２０  再生履歴ファイル
１２１  再生履歴記憶部
２０１  親ディレクトリ
２０２  録画データディレクトリ
２０３  録画データファイル（再生履歴ファイル含む）
２１０  再生履歴管理ファイル
３０１  録画開始
３０２  録画データ保存用ディレクトリ
３０３  画像データ記録
３０４  録画継続判定
３０５  再生履歴ファイル作成
３０６  録画終了
４０１  再生開始
４０２  再生履歴ファイルの読み込み
４０３  再生履歴ファイルありかの判定
４０４  未再生であることを通知
４０５  画像データの先頭を表示
４０７  連続再生開始判定
４０７  再生履歴ファイル削除
４０８  再生終了判定
４０９  未再生画像あり判定
４１０  次の画像データを表示
４１１  再生終了判定
４１２  再生終了
【図１】
2006313602.tif 000003
【図２】
2006313602.tif 000004
【図３】
2006313602.tif 000005
【図４】
2006313602.tif 000006
【図５】
2006313602.tif 000007
【図６】
2006313602.tif 000008